Podtech/llm-jp-corpus-v4-ja_patent huggingface dataset:
(57)【要約】      （修正有）【課題】光ビームを利用した報知装置において、整流器の介在を要しない報知装置を提供する。【解決手段】投光装置１を構成する主要部として、キセノンランプ２、キセノンランプの外囲器３（集光用の反射鏡をも兼ねる）、載置台４、載置台下部に取り付けられた車輪５などで構成する。６は投光装置１に電力を供給する電源装置であり、自己発電機能を有する直流発電機を内蔵する。同発電機は、所要出力、使用放電灯の定格等により適宜設計して製作する。７は電力供給等を行う配線であり、８は電源装置６の下部に取り付けられた車輪である。【選択図】図１
0003147762.tif 000002
【実用新案登録請求の範囲】
【請求項１】
アーク放電による光ビームを発する投光装置と、前記投光装置に電力を供給する直流自
己発電機能を備える電源装置とよりなる光ビームを利用した報知装置。
【請求項２】
前記投光装置および電源装置は、それぞれの下部に移動を容易にするための車輪を備え
た請求項１に記載の光ビームを利用した報知装置。
【考案の詳細な説明】
【技術分野】
【０００１】
本考案は、光ビームを利用した報知装置に関し、特に津波を伴うような巨大地震、大雨
等による洪水、土砂崩れなどの災害時等、特に夜間発生の災害時等に有用な装置に関する
。
【背景技術】
【０００２】
避難誘導や危険を知らせる機器には、防災無線や地面に埋設・固定されたポール状の告
知装置や光ビームを利用した報知装置などがある。
【０００３】
その中で光ビームを利用した報知装置として、出願人が製造した従来装置、すなわち、
放電灯を反射鏡筒体内に内蔵した投光装置とその投光装置に適合する電源装置とより構成
された装置がある（例えば、非特許文献１参照）。
【非特許文献１】２００６年６月２４日付朝日新聞掲載の「光の束で被災者誘導」の記事
【考案の開示】
【考案が解決しようとする課題】
【０００４】
前述の従来装置においては、自己発電装置を備えてはいるが、その発電装置は交流発電
機である。投光装置中の放電灯への電力印加が直流であることを要することで、交流発電
機と投光装置との間に整流器を介在させることが必須であった。
【０００５】
本考案は、上述の整流器の介在を必要としない報知装置を提供するものである。
【課題を解決するための手段】
【０００６】
請求項１の考案は、アーク放電による光ビームを発する投光装置と、前記投光装置に電
力を供給する直流自己発電機能を備える電源装置とよりなる光ビームを利用した報知装置
を提供する。
【０００７】
この構成によれば、発電機が直流発電機であるため従来のような整流器は不要である。
また、請求項２の考案は、前記投光装置および電源装置は、それぞれの下部に移動を容易
にするための車輪を備えた請求項１に記載の光ビームを利用した報知装置を提供する。
【考案の効果】
【０００８】
本考案は、上述のような構成よりなる報知装置であるので、以下の効果を奏する。
１．従来必須とされた整流器が要らなくなったため、報知装置全体の価格が安くなり、  
あわせて取り扱いも良好となった。
２．重量が軽くなり、持ち運び、移動が容易となり、請求項２に述べたような車輪の利  
用により更に改善された。
３．この報知装置は、大津波時などに逃げる方向を指し示す目標光を提供することにな  
り、また種々の災害時等の負傷者救出や救援物資投下場所の目印を提供することに    
もなる。
【考案を実施するための最良の形態】
【０００９】
本考案の実施例につき、図面を参照しながら以下説明する。図１は本考案の一実施例に
おける報知装置の斜視図、図２は同報知装置の投光装置の正面図、図３は同投光装置の側
面図である。
【００１０】
図１〜図３において、１は投光装置であり、その投光装置を構成する主要部として、キ
セノンランプ２、キセノンランプの外囲器３（集光用の反射鏡をも兼ねる）、載置台４、
載置台下部に取り付けられた車輪５などがある。
６は投光装置１に電力を供給する電源装置であり、自己発電機能を有する直流発電機を内
蔵する。同発電機は、所要出力、使用放電灯の定格等により適宜設計して製作する。７は
電力供給等を行う配線であり、８は電源装置６の下部に取り付けられた車輪である。なお
、電源装置としては、商用電源でも使用できるようにするのが望ましい。
本考案は、以上の実施例に限られず、種々の実施例をもって実現できることは言うまでも
ない。
【図面の簡単な説明】
【００１１】
【図１】本考案の一実施例における報知装置の斜視図である。
【図２】同上実施例における投光装置の正面図である。
【図３】同上実施例における投光装置の側面図である。
【符号の説明】
【００１２】
１  投光装置
２  キセノンランプ
３  外囲器
４  載置台
５  車輪
６  電源装置
７  配線
８  車輪
【図１】
0003147762.tif 000003
【図２】
0003147762.tif 000004
【図３】
0003147762.tif 000005
(57)【要約】      （修正有）【課題】内燃機関用ピストンエンジンにおいて、ピストンヘッドを加工することにより、爆発力のエネルギーを最大限に受け入れ、効率向上を図ることのできる内燃機関用ピストンを提供する。【解決手段】内燃機関用ピストンエンジンのピストンヘッド１に凹凸部２を加工してつける。または、段々に段差を加工してもよく、さらに、ピストンの最外周部を上に反らしても良い。該ピストンヘッドを上記のように加工し、ピストンヘッドの表面積を拡大することにより、爆発で発生するエネルギーを効率的に吸収する構造を実現する。【選択図】図１
0003147811.tif 000002
【実用新案登録請求の範囲】
【請求項１】
内燃機関用ピストンエンジンで、ピストンヘッドの表面に凹凸等を加工してヘッドの表面積を凹凸面を含めて広くし、圧縮した燃焼気体の爆発で発生するエネルギを表面積に比例して、爆発力のエネルギーを最大限に受け入れる事を目的としたピストンヘッドの表面積を広くしたピストン。
【請求項２】
ピストンヘッドの表面積を広くする為、ピストンの表面に凹凸部を加工したり段々と段差を加工したり、ピストンの最外周部を上に反らす加工をしたり、各方式を組み合わせ、ピストンヘッドの表面積を広くしたピストン。
【考案の詳細な説明】
【技術分野】
【０００１】本考案は、内燃機関用ピストンの改良に関する。
【背景技術】
【０００２】従来のピストンでは、一部分吸排気の流れを変える為に加工したピストンはあったが、シリンダー内で気体が爆発したエネルギーをピストンヘッドの表面積を加工する事無く、そのまま受け入れて採用されていた。
【考案の開示】
【０００３】
【考案が解決しょうとする課題】
【０００４】ところが、従来から提供されているピストンエンジンではシリンダーと、ピストンの直径を加減し、又、ピストンの上死点から下死点までの、ストロークの長さで、回転数、馬力、粘りや騒音の大小等、勘案して説計されていた。
今までの、内燃機関用ピストンでは、エネルギーロスも大きく、地球温暖化の一因にもなっており、更に効率的で少エネルギーの低減可能な内燃機関用ピストンが所望されていた
【課題を解決するための手段】
【０００５】本考案は上記目的を達成するために、内燃機関用ピストンエンジンのピストンヘッドに、凹凸部を加工して付けたり、段々に段差を加工したり、ピストンの最外周部を上に反らして加工したり、又、各方式を組み合わせ、ピストンヘッドの表面積を、より以上広くしたピストンを作り、この結果内燃機関用ピストンエンジンで爆発で発生するエネルギーを効率的に最大限吸収して、熱エネルギーのロスを少なく出来る、ピストンエンジンを提供することを可能にした。
【考案の効果】
【０００６】
【０００７】上記した本考案によれば、ピストンエンジンで爆発して発生した、熱エネルギーの有効利用と、温暖化現象の低減が可能な内燃機関用ピストンエンジンを提供することが可能になつた。
【考案を実施するための最良の形態】
【０００８】以下、本考案の好ましい実施の形態につき、図面を参照し具体的に説明する。
【実施例】
【０００９】図１は、本考案に係る内燃機関用ピストンで、ピストンヘッドの表面に凹凸部を加工し、ピストンの表面積を広くしたピストン。【００１０】図２は、本考案に係る内燃機関用ピストンで、ピストンヘッドの表面に段々と段差を加工し、ピストンの表面積を広くしたピストン。【００１１】図３は、本考案に係る内燃機関用ピストンで、ピストンの最外周部を上に反らして加工し、表面積を広くしたピストン。この他にも各種類の特徴を組み合わせ工夫して作ることは言うまでもない。
【産業上の利用分野】
【００１２】本考案に係る内燃機関用ピストンは、二輪車オートバイ用、船舶用、航空機用、その他、あらゆる産業用の内燃機関用ピストンとして用いる事が可能である。
【図面の簡単な説明】
【００１３】
【図１】本考案に係る内燃機関用ピストンで、ピストンヘッドの表面に凹凸部を加工し、ピストンの表面積を広くしたピストン。
【図２】は本考案に係る内燃機関用ピストンで、ピストンヘッドの表面に段々と段差を加工し、ピストンの表面積を広くしたピストン。
【図３】は、本考案に係る内燃機関用ピストンで、ピストンの最外周部を上に反らして加工して表面積を広くしたピストン。この他にも各種類の特徴を組み合わせ工夫してピストンを作ることは言うまでもない。
【符号の説明】
【００１４】［図１］  １  ピストン。        ２  凹凸の凹の深み巾を示す。
３  クランク側を示す。
［図２］  １  ピストン          ２  シリンダーヘッドの段々と段差を示す。
３  クランク側を示す。
［図３］  １  ピストン          ２  シリンダヘッドの最外周部を示す。
３  クランク側を示す。
４  シリンダヘッドの凹部を示す。
【図１】
0003147811.tif 000003
【図２】
0003147811.tif 000004
【図３】
0003147811.tif 000005
(57)【要約】      （修正有）【課題】ホルダーを小型化でき、かつ認識番号などがホルダー外側から読めて、首輪の交換などの際に簡単に付替えができるペット用ホルダーを提供する。【解決手段】鑑札または鑑札の写真などのコピー品２を丸めて小型化し、透明な円筒カバー１に収納し、上下蓋３を留めネジ４で固定する。【選択図】図１
0003147813.tif 000002
【実用新案登録請求の範囲】
【請求項１】
ペット用に発行される鑑札を円筒形にして収納し、かつ鑑札の標示内容がホルダー外側から見通せることができる鑑札ホルダー。
【請求項２】
ペット用に発行される鑑札を写真プリントやコピーしたものを、円筒形にして収納した請求項１の鑑札ホルダー。
【考案の詳細な説明】
【考案の詳細な説明】
ペット用（主に犬）に予防注射等の実施時に発行される鑑札は、各自治体で多少寸法が異なるが、首輪などに取付けられる巾２ｃｍ、長さ４ｃｍ程度のアルミ板や３ｃｍ×４ｃｍ程度の小判型に認識番号が刻印されたものが使われている。
従来この鑑札は、首輪などに直に固定取付されるのが一般的であった。
その為、昨今のネクタイ感覚で装飾首輪などを交換する際、この鑑札の付替えが面倒であった。
本考案はこの鑑札または、鑑札をコピーしたものを丸めて収納することにより、ホルダーを小型化でき、かつ認識番号などがホルダー外側から読めて、首輪の交換などの際に簡単に付替えができるペット用ホルダーに関するものである。
このホルダーは、透明プラスチックの円筒カバー（１）に丸めた鑑札または写真などのコピーしたもの（２）を入れ、上下蓋（３）を留めネジ（４）で締め込む簡単な構造で、首輪や胴輪にペンダントのように取付ができ、また中の鑑札などを入替えることができるので、長期間の使用も可能となる。
上蓋、又は下蓋は透明円筒カバーと一体構造とすることもできる。
また蓋に直接ネジ加工を施し、ネジナットを省略する構造でも構わない。
【図面の簡単な説明】
【図１】  本案の構成と斜視図
【符号の説明】
１は円筒形透明カバー、２は鑑札、３は上下の蓋、４は留めネジとナット。
【図１】
0003147813.tif 000003
(57)【要約】      （修正有）【課題】マスカラを塗る際に瞼に付着するのを防止し、重ね塗りした際のムラをなくすためのマスカラ用下敷きを提供する。【解決手段】瞼の湾曲に合わせて楕円形にし、操作性を良くする為に三ヶ所の丸い穴を空けたことを特徴とする。このマスカラ用下敷きを使用することにより、マスカラの重ね塗りによってできるムラはできず、何度塗っても睫毛一本一本根元から綺麗に塗ることができる。また三ヶ所空いている穴を利用することで利き手の左右に関係なく、それぞれの瞼の形状に合わせてマスカラを塗ることが出来ると共に滑らずに使用することができ操作性、機能性を最大に引き出すことが出来る。【選択図】図１
0003147812.tif 000002
【実用新案登録請求の範囲】
【請求項１】
瞼の湾曲に合わせた楕円形になっており、表面に三ヶ所穴を空けたことを特徴とするマスカラ用下敷き。
【考案の詳細な説明】
【技術分野】
【０００１】  本考案はマスカラに関するものであり、マスカラを塗る際ムラなく根元から塗ることができ汚れ防止もできるようにしたものである。
【背景技術】
【０００２】  マスカラを塗る際、重ね塗りをするのが大半であり、瞼に汚れが付着しやすく、ふき取るのが面倒である。
【考案の開示】
【考案が解決しようとする課題】
【０００３】  マスカラを塗る際、重ね塗りをするとムラになりやすく瞼に汚れが付きやすい。また、シールシートなどにするとファンデーション等が剥がれる心配もある。このような不都合を解決し、より作業性を向上させることを課題とする。
【課題を解決させるための手段】
【０００４】  この課題を解決するために瞼の湾曲に合わせた楕円形になっており、表面に三ヶ所穴を空けたことを特徴とするマスカラ用下敷きを考案した。（図１）この下敷きを使用することで何度重ね塗りをしても余分なマスカラは下敷きに付くので色ムラなく綺麗に塗ることができる。また、瞼と睫毛の間で使用することにより瞼に付く汚れも防止できる。
【考案の効果】
【０００５】  本考案のマスカラ用下敷きを使用することにより、マスカラの重ね塗りによってできるムラはできず、何度塗っても睫毛一本一本根元から綺麗に塗ることができる。
【０００６】  また三ヶ所空いている穴を利用することで利き手の左右に関係なく、それぞれの瞼の形状に合わせてマスカラを塗ることが出来ると共に滑らずに使用することができ操作性、機能性を最大に引き出すことが出来る。
【０００７】  素材にＰＰシートを使用することでファンデーション等が剥がれる心配もなく、この下敷きに付着したマスカラは市販のメイク落し等で洗い流すことができ何度も使用することができる。
【考案実施するための最良の形態】
【０００８】  図１は瞼の湾曲に合わせた楕円形になっており、三ヶ所穴を空けたことを特徴とするマスカラ用下敷きの平面図である。
【０００９】  図２は本考案の上瞼の使用状態を示す平面図である。同図に示すように片端側の穴を片手で親指と中指で穴を挟み、サイドの指は中指の横に添えて持ち手を滑りにくくする。目の上の塗りたい部分に合わせることで根元から塗ることができる。また、スライドさせて真ん中の穴を持つことで目頭など届きにくい部分まで塗ることができる。
【００１０】  図３は本発明の下瞼での使用状態を示す平面図である。同図に示すように、図２で述べた方法と同じように使用することで下瞼の睫毛も上瞼と同様にマスカラを塗ることができる。
【００１１】  素材はＰＰシート（ポリプロピレンシート）で、フォルダー、化粧ケース、クリアケースなどで幅広く使用されており、無公害素材のシートで、透明性、耐久性、耐寒性に優れているものである。
【図面の簡単な説明】
【００１２】
【図１】三ヶ所穴を空けた楕円形の平面図である。
【図２】本考案の上睫毛での使用状態を示す平面図である。
【図３】本考案の下睫毛での使用状態を示す平面図である。
【符号の説明】
【００１３】  １      楕円形になったシート  ２      三ヶ所の穴  ３      目  ４      手
【図１】
0003147812.tif 000003
【図２】
0003147812.tif 000004
【図３】
0003147812.tif 000005
(57)【要約】      （修正有）【課題】人体からの浮き上がりや降下を防止することのできるウェディングドレスを提供する。【解決手段】その上部に開口部を有するドレス本体において、該開口部の上部内面に結び紐を設けたことを特徴とする。１はウェディングドレスのドレス本体で、その上部に開口部２が形成された略筒状の布体であり、その表面には種々の装飾が施される。３は結び紐で、薄布を袋状に縫着して設けられ、この結び紐は開口部２の上縁に近接してドレス内面に複数個所が縫着される。４はループで、紐を半環状に開口部縁に連続縫着して設けられる。使用するには、まず開口部２を開けた状態にてドレスをかぶる。次に、結び紐３を背中に回して互いに結ぶ。そして、ドレスの開口部２を閉める。ループ方式を用いたので、このループに挿通可能なる細紐を用意し、この細紐を開口部縁のループに通して編み上げることにて開口部２を閉じる。なお、このループ方式以外に、スライドファスナー方式でもよい。【選択図】図１
0003147816.tif 000002
【実用新案登録請求の範囲】
【請求項１】
その上部に開口部を有するドレス本体において、該開口部の上部内面に結び紐を設けたことを特徴とするウェディングドレス。
【請求項２】
結び紐適所に面ファスナーを設けてなる請求項１記載のウェディングドレス。
【請求項３】
面ファスナーに代えてスナップを設けてなる請求項２記載のウェディングドレス。
【請求項４】
結び紐の適所にゴム紐を設けてなる請求項１〜３のいずれかの項に記載のウェディングドレス。
【考案の詳細な説明】
【技術分野】
【０００１】  この考案は、胸当て部分や腰回りの部分に結び紐を設けたウェディングドレスに関する。
【背景技術】
【０００２】  従来より、種々のウェディングドレスが利用されているが、本案にて示すようにドレスの内面適所に結び紐を設けたものは見あたらない。
【考案の開示】
【考案が解決しようとする課題】
【０００３】  従来より、パーティドレスやウェディングドレス等が多用されており、肌の露出とりわけ肩やバストより上の部分の露出度の高いものが多い。そのため、着付けの具合によっては下着の一部が露出することがあり、その対策に苦慮している。ゴムがウェスト部分に備わったものもあるが、着用者の体型によってはゴムによる押圧が適切ではなく、ドレスの下降の恐れがある。
また、ドレスの胸当ての部分が人体より少し離れるいわゆる浮くことがあり、気になる要素であるがこれに対する適切な手段が見あたらないのが現状である。
本案は、以上のような従来からのウェディングドレス等に関わる課題を解決するために考案されたもので、ドレス内面適所に結び紐を設けることにて以上の問題を解決することのできる、新規かつ有用なる物品を提供することを目的としたものである。
【課題を解決するための手段】
【０００４】  課題を解決する手段として本案は以下の構成とした。
すなわち、その上部に開口部を有するドレス本体において、該開口部の上部内面に結び紐を設ける。本案は以上の構成よりなるウェディングドレスである。なお、変化例として面ファスナー等を用いて構成してもよい。
【考案の効果】
【０００５】  本発明によれば、ドレスの開口部内面適所に結び紐を設けたので、着用時に着用者の体に沿ってこの結び紐を回し、背面にて結ぶことにより、ドレス上部の人体からの浮きを皆無として、安心して適切な着用を可能とする有用なる物品を提供することができる。
なお、ドレスの腰部にも同様の手段を設けることにて種々の体型に適合するドレスを得ることができる。
【考案を実施するための最良の形態】
【０００６】  以下、本考案の実施形態について説明する。
図において、１はウェディングドレスのドレス本体で、その上部に開口部２が形成された略筒状の布体であり、その表面には種々の装飾が施される。３は結び紐で、本例では薄布を袋状に縫着して設けられ、この結び紐は前記開口部の上縁に近接してドレス内面に複数個所が縫着される。４はループで、紐を半環状に開口部縁に連続縫着して設けられる。
本案を使用するには、まず開口部を開けた状態にてドレスをかぶる。次に、結び紐３を背中に回して互いに結ぶ。そして、ドレスの開口部を閉める。本例ではループ方式を用いたので、このループに挿通可能なる細紐を用意し、この細紐（図示略）を開口部縁のループに通して編み上げることにて開口部を閉じる。なお、このループ方式以外に、スライドファスナー方式でもよい。この状態にて、ドレスの上部胸当て部分は上記の結び紐にて保持されて人体からの浮きを防ぐことができる。また、必要に応じて、図１の破線にて示すように、ドレス内に同様に結び紐を縫着し、これらの紐を互いに結ぶことにて、ドレス全体の人体に対する下降位置ずれを防止することができる。また、図２にて示すように、結び紐の中心に図柄を表現することにて、ドレスに結び紐を縫着するときの中心目印とすることができる。【０００７】  以上、本案について記したが、本案はドレス内面に結び紐を設けたところにその特徴を有し、ドレス要部の人体からの浮き上がりを防止して、快適なる着用が得られるものである。なお、結び紐の適所に面ファスナーを設け、これらの面ファスナーを相互に係着させることにても、同様の機能を発揮することができる。あるいは、面ファスナーに代えて複数個のスナップを用いる方式としてもよい。
既述の例では結び紐を布体にて形成したが、この布体の一部もしくは全部をゴム紐にて形成してもよい。なお、ドレス内適所（おおむね人体の骨盤よりやや上の位置）に結び紐を設けて、これを併用することにて人体に対するドレス位置降下も防止することができる。
既述の例はウェディングドレスの場合にて説明したが、他にパーティドレス等にも利用することができる。以上のごとく、本案によって有用なるドレスを得ることができる。
【図面の簡単な説明】
【０００８】
【図１】  本考案の正面図（一部略）
【図２】  本考案の変化例要部説明図
【図３】  本考案の着用状態図
【符号の説明】
【０００９】  １  ドレス本体
２  開口部
３  結び紐
４  ループ
５  センターマーク
６  結び紐
【図１】
0003147816.tif 000003
【図２】
0003147816.tif 000004
【図３】
0003147816.tif 000005
(57)【要約】      （修正有）【課題】ブーツの内側に着用することにより、ブーツを着用した時の印象を種々に変化させることのできる折り返し部分を持つブーツインナーを提供する。【解決手段】足首周りより履き口部分に向かって幅広の形をした、ソックスあるいはレッグウォーマ（筒）状のニット生地の裏側上部に、ブーツとは異なる多種多様な素材を縫いつけてブーツインナー１を構成する。ブーツ着用時には、該ブーツインナー裏側履き口上部３を折り返して、ブーツの履き口部分にかぶせて使用する。該ブーツインナーを取り替える事により、ブーツ着用時の印象を種々変える事ができる。【選択図】図１
0003147817.tif 000002
【実用新案登録請求の範囲】
【請求項１】
ブーツの内側に着用し、同履き口上部より折り返すことによって、ブーツ自体の印象を変え、ファッション性を高めるソックスあるいはレッグウォーマー（筒）状の左右両足２枚１セットとなったアイテム
【考案の詳細な説明】
【技術分野】
【０００１】  本考案は、ブーツの内側に着用することにより、ブーツ自体の印象を変え、ファッション性を高めるソックスあるいはレッグウォーマー（筒）状の左右両足２枚１セットとなったインナーウエアに関するものである。
【背景技術】
【０００２】  今や季節を問わず１年中人気のアイテムであるブーツは、ブーツ自体を折り返すなど２ｗａｙのものも登場しているが、１足に対し、１ないし２程度の変化が基本である。
【考案の開示】
【考案が解決しようとする課題】
【０００３】  ブーツの内側に着用することによって、同履き口部分に変化をもたらす新アイテムは、価格がブーツに比べると安いので、比較的取得しやすく、多くの変化を気軽に試すことが可能となり、前述の欠点を解決しようとするものである。
【課題を解決するための手段】
【０００４】  本考案は、ブーツの内側に履くソックスあるいはレッグウォーマー（筒）状のインナーウエアの裏側上部に、ブーツと異なる素材を縫い付け、同部分を折り返して着用することにより、問題点を解決している。
【考案の効果】
【０００５】  上述の様に、ブーツと組み合わせる新アイテムの登場により、比較的安価に、幾通りもの変化、おしゃれを楽しむことが出来る。
【考案を実施するための最良の形態】
【０００６】  足首周りより履き口部分にむかって幅広の形をしたソックスあるいはレッグウォーマー（筒）状のニット生地の裏側上部（ブーツ履き口に折り返す部分）にブーツと異なる多種多様の素材を縫い付ける。
【実施例】
【０００７】  以下、添付図面に従って、一実施例を説明する。１または１プラス２は、足首周りより履き口にかけて幅広になった伸縮性のある生地によるインナー本体で、この履き口上部の裏側である３の箇所にはブーツと異なる素材を縫い付ける。
４のブーツ着用の際に３の部分を折り返してブーツ履き口部分にかぶせることにより本来のブーツの印象が変わる。
【図面の簡単な説明】
【０００８】
【図１】本考案の折り返しブーツインナーの正面図である。
【図２】本インナーを裏返した際の正面図である。
【図３】本インナーの一実例を示す図（ブーツの内側に着用し折り返した際の図）である。
【符号の説明】
【０００９】１  インナー本体（形状がレッグウォーマー状の場合）
２  インナー本体（形状がソックス状の場合の足首からつま先の部分）
３  インナー裏側履き口上部（ブーツ着用の際の折り返し部分）
４  ブーツ
【図１】
0003147817.tif 000003
【図２】
0003147817.tif 000004
【図３】
0003147817.tif 000005
(57)【要約】【課題】安い建築費で建築することができ、かつ、建物の外観を安い費用で変更することができるようにした婚礼施設を提供する。【解決手段】外周に外側垂直板状体１を立設すると共に該外側垂直板状体の内方に内側垂直板状体３を立設することにより該外側垂直板状体と該内側垂直板状体との間を婚礼施設用スペース５となし、該婚礼施設用スペースに婚礼施設の屋根部と内部とを形成し、該内側垂直板状体の内方を屋根のないオープンスペース２９となし、該外側垂直板状体における外側面と該内側垂直板状体における該オープンスペースに臨む内側面とにそれぞれ装飾３１を施してなることを特徴とする婚礼施設。【選択図】図１
0003147836.tif 000002
【実用新案登録請求の範囲】
【請求項１】
外周に外側垂直板状体を立設すると共に該外側垂直板状体の内方に内側垂直板状体を立設することにより該外側垂直板状体と該内側垂直板状体との間を婚礼施設用スペースとなし、該婚礼施設用スペースに婚礼施設の屋根部と内部とを形成し、該内側垂直板状体の内方を屋根のないオープンスペースとなし、該外側垂直板状体における外側面と該内側垂直板状体における該オープンスペースに臨む内側面とにそれぞれ装飾を施してなることを特徴とする婚礼施設。
【考案の詳細な説明】
【技術分野】
【０００１】
本考案は、婚礼施設に関するものである。
【０００２】
本考案において「婚礼施設」とは、結婚式場、結婚披露宴会場、宴会施設、結納施設、レストラン、待合室等の建物をいうものとする。
【背景技術】
【０００３】
婚礼施設としては、頑丈な構造を備えた大型かつ豪華な建物が従来より使用されている。
【考案の開示】
【考案が解決しようとする課題】
【０００４】
頑丈な構造を備えた大型かつ豪華な建物は、婚礼施設としては極めて好ましいものであるが、このような豪壮な建物は、膨大な建築費を要するものである。また、婚礼施設は、常に瀟洒な新しい外観を有することが要求されるのであるが、そのために建物の外観の更新ないし建て替えを頻繁に行なうことは費用の面で極めて困難である。
【０００５】
このような状況に鑑み、本考案は、安い建築費で建築することができ、かつ、建物の外観を安い費用で変更することができるようにした婚礼施設を提供しようとしてなされたものである。
【課題を解決するための手段】
【０００６】
上記課題を解決するために、本考案は、下記の婚礼施設を提供するものである。
【０００７】
外周に外側垂直板状体を立設すると共に該外側垂直板状体の内方に内側垂直板状体を立設することにより該外側垂直板状体と該内側垂直板状体との間を婚礼施設用スペースとなし、該婚礼施設用スペースに婚礼施設の屋根部と内部とを形成し、該内側垂直板状体の内方を屋根のないオープンスペースとなし、該外側垂直板状体における外側面と該内側垂直板状体における該オープンスペースに臨む内側面とにそれぞれ装飾を施してなることを特徴とする婚礼施設（請求項１）。
【考案の効果】
【０００８】
本考案によれば、婚礼施設は、外側垂直板状体と内側垂直板状体との間の婚礼施設用スペースに婚礼施設の屋根部と内部とを形成し、外側垂直板状体の外側面と内側垂直板状体の内側面とにそれぞれ装飾を施してなるものであるため、安い建築費で建築することができる。すなわち、婚礼施設用スペースに形成される婚礼施設の屋根部は簡易なものでよく、外側垂直板状体の外側面と内側垂直板状体の内側面とに施される装飾も安価なものでよい。また、外側垂直板状体の外側面と内側垂直板状体の内側面とに施される装飾を変更することにより、婚礼施設の外観を極めて安い費用で変更することができる。
【０００９】
換言すれば、本考案によれば、婚礼施設は、安い費用で新築することができるだけでなく、外観を極めて安い費用で常に新しい状態に更新・維持することができるという優れた効果が発揮される。
【００１０】
また、本考案によれば、内側垂直板状体の内方に形成される屋根のないオープンスペースは、外側垂直板状体と内側垂直板状体とにより囲繞されているため、外部から隔離された独特の雰囲気を持つ世界を形成する。更に、外側垂直板状体と内側垂直板状体とが風除けとなるため、オープンスペース内に噴水を配設することもできる。加えて、外側垂直板状体と内側垂直板状体とが遮音効果を有するため、オープンスペース内においても音楽等の音を発生させることができる。
【考案を実施するための最良の形態】
【００１１】
外周に外側垂直板状体１を立設すると共に該外側垂直板状体１の内方に内側垂直板状体３を立設することにより該外側垂直板状体１と該内側垂直板状体３との間を婚礼施設用スペース５となす。
【００１２】
外側垂直板状体１と内側垂直板状体３とは、一例として、図２に示すように、それぞれ基礎７上に鉄骨９を立設し、該鉄骨９に発泡ウレタン板１１を取り付けてなるものとする。
【００１３】
符号１３に示すものは婚礼施設の正面玄関であり、符号１５に示すものは出入口である。
【００１４】
婚礼施設用スペース５に婚礼施設の屋根部１７と内部１９とを形成する。
【００１５】
婚礼施設の屋根部１７は、地上に立っている人からは外側垂直板状体１と内側垂直板状体３とに隠れて見えない高さになるように形成する。したがって、屋根部１７は安価に形成することができる。
【００１６】
外側垂直板状体１と内側垂直板状体３とは、婚礼施設の外壁をなすものである。
【００１７】
図１において、符号２１に示すものは婚礼施設のロビーないし待合室であり、符号２３に示すものは婚礼施設の廊下であり、符号２５に示すものは婚礼施設の披露宴会場、宴会施設、レストラン等であり、符号２７に示すものは教会等の挙式場である。
【００１８】
内側垂直板状体３の内方を屋根のないオープンスペース２９となす。該オープンスペース２９は、いわば婚礼施設の中庭である。オープンスペース２９内には、適宜噴水（図示せず。）を配設すると共に、音楽等の音を発生させる。
【００１９】
外側垂直板状体１における外側面と内側垂直板状体３におけるオープンスペース２９に臨む内側面とにそれぞれ装飾３１を施す。
【００２０】
装飾３１は、形状、色彩、材質の如何を問うものではなく、平面的なものであっても立体的なものであってもよい。
【図面の簡単な説明】
【００２１】
【図１】本考案による婚礼施設の一例を示す平面図である。
【図２】外側垂直板状体と内側垂直板状体とを示す断面図である。
【図３】外側垂直板状体の外側面に施された装飾の一例を示す正面図である。
【符号の説明】
【００２２】
１  外側垂直板状体
３  内側垂直板状体
５  婚礼施設用スペース
７  基礎
９  鉄骨
１１  発泡ウレタン板
１３  正面玄関
１５  出入口
１７  屋根部
１９  内部
２１  ロビーないし待合室
２３  廊下
２５  披露宴会場、宴会施設、レストラン等
２７  挙式場
２９  オープンスペース
３１  装飾
【図１】
0003147836.tif 000003
【図２】
0003147836.tif 000004
【図３】
0003147836.tif 000005
(57)【要約】      （修正有）【課題】手首の動脈の上に光をあてて脈拍を容易に数えることができる光脈拍計を提供する。【解決手段】丸く細長くて中に電池が入った形状のＬＥＤランプで、ＬＥＤランプにドーム型のプラスチックカバーを取り付けたことを特徴とする光脈拍計である。光脈拍計をやさしく持って手首の動脈の位置にあてることで、暗いところでも容易に脈拍を数えることができる。【選択図】図１
0003147888.tif 000002
【実用新案登録請求の範囲】
【請求項１】
誰でも使用可能である。医療用やおもちゃなどに使いたい。おもちゃとして楽しんでほしい。
【考案の詳細な説明】
【技術分野】
【０００１】本考案は、脈の上に光をあてて脈拍が容易に数えられることに関するものである。
【背景技術】
【０００２】ランプを使って光と影で血管の浮きしずみがでるので見ているだけで脈拍が数えられる。光をあてて見えやすくするのみで実用上十分であった。【０００３】相手の手を持って指で脈拍を計るのではなく光で計るもの。【０００４】カップをライトに付けることによって安定した光を脈にあてて脈拍を数えることが出来る。【０００５】本考案は、目視にて目的が可能となる。【０００６】ドーム型で数センチの距離をもたせる。
【図１】
0003147888.tif 000003
【手続補正書】
【提出日】平成20年6月9日(2008.6.9)
【手続補正１】
【補正対象書類名】実用新案登録請求の範囲
【補正対象項目名】全文
【補正方法】変更
【補正の内容】
【実用新案登録請求の範囲】
【請求項１】
「登録請求の範囲において
（１）ＬＥＤランプにプラスチックカバーをとりつけた
（２）持ち運びが簡単
（３）相手や自分の手を持って指で計らず光で計る
（４）手で計るものは請求の範囲外でＬＥＤランプによる光で計る時は請求の範囲内です
（５）指で押える方法は血管を押えるので血管を圧迫する  それに対して光脈拍は圧迫が無いだから人体にやさしい動脈の脈拍を計る器具です
（６）乾電池とスイッチとＬＥＤランプでできていてドーム型のプラスチックカバーのついたもの
（７）これは食べ物では無い
（８）これは運動の道具では無い
（９）これは電気を利用した道具です．
以上からなる（光脈拍）。」
【手続補正２】
【補正対象書類名】明細書
【補正対象項目名】全文
【補正方法】変更
【補正の内容】
【考案の詳細な説明】
【技術分野】
【０００１】この考案は手首の動脈の上に光をあてて脈拍が容易に数えられるものである
背景技術【０００２】ＬＥＤランプを使う  すると影で動脈の血管の浮きしずみができるので見ているだけで脈拍が数えられる【０００３】光を利用したもの  自分や自分以外の人に使用可能【０００４】ＬＥＤランプにカップをつける【０００５】この考案は暗いところで使用することによって目的が可能となる【０００６】光脈拍をやさしく持って手首の動脈の位置にあてる  計るときは手を動かさないようにして下さい
【図面の簡単な説明】
【０００７】
【図１】（１）手首を出してドーム型のカップを動脈の血管の上にあてて時計を見ながらスイッチをいれます  （２）脈が動くのが見えたら数を数えて下さい  （３）１０分間計って６倍にして下さい。１分間計ったのと同じになります  （４）使用しない時はスイッチを切って下さい  （５）毎日夜に計る（健康維持の為に）
【図２】（略図）
【手続補正３】
【補正対象書類名】図面
【補正対象項目名】全図
【補正方法】変更
【補正の内容】
【図１】
0003147888.tif 000004
【図２】
0003147888.tif 000005
【手続補正書】
【提出日】平成20年8月8日(2008.8.8)
【手続補正１】
【補正対象書類名】実用新案登録請求の範囲
【補正対象項目名】全文
【補正方法】変更
【補正の内容】
【実用新案登録請求の範囲】
【請求項１】
光脈拍計において  １  ＬＥＤランプにプラスチックカバーがとりつけられているもの  ２  プラスチックカバーはドーム型のもの  ３  これは電気を利用した道具以上からなる光脈拍計
【手続補正２】
【補正対象書類名】明細書
【補正対象項目名】全文
【補正方法】変更
【補正の内容】
【考案の詳細な説明】
【技術分野】
【０００１】この考案は手首の動脈の上に光をあてて脈拍が容易に数えられるものである背景技術【０００２】ＬＥＤランプを使う  すると影で動脈の血管の浮きしずみがでるので見ているだけで脈拍が数えられる【０００３】光を利用したもの自分や自分以外の人に使用可能【０００４】ＬＥＤランプにカップをつける【０００５】この考案は暗いところで使用することによって目的が可能となる【０００６】光脈拍計をやさしく持って手首の動脈の位置にあてる  計るときは手を動かさないようにして下さい
【図面の簡単な説明】
0003147888.tif 000006
【手続補正書】
【提出日】平成20年10月20日(2008.10.20)
【手続補正１】
【補正対象書類名】実用新案登録請求の範囲
【補正対象項目名】全文
【補正方法】変更
【補正の内容】
【実用新案登録請求の範囲】
【請求項１】
光脈拍計において
１  ＬＥＤランプにプラスチックカバーが取り付けられているもの
２  プラスチックカバーはドーム型のもの
３  これは電気を利用した道具であり構成は丸く細長くて中に電池が入ったもの
４  脈拍を計測するために小型電灯の光をあてるもの
５  以上からなる光脈拍計
(57)【要約】      （修正有）【課題】レンジフードが排気しようとして発生させる吸引の風速の影響範囲を下方向に広げて上昇気流の不足を補い、補集効率を高めたレンジフード用捕集漏れ防止スカートを提供する。【解決手段】厨房用レンジフードの外縁部２面または３面に取り付け、レンジフード外縁と同じ長さの下方向に伸びる平面部分を有することを特徴とする捕集漏れ防止スカートであり、前記捕集漏れ防止スカートはレンジフード本体に対して着脱できる仕組みを有するようにすることもできる。【選択図】図１
0003147889.tif 000002
【実用新案登録請求の範囲】
【請求項１】
厨房用レンジフードの外縁部２面または３面に、レンジフード外縁と同じ長さで下方向に伸びるスカート部分を設けたことを特徴とする捕集漏れ防止スカート。
【請求項２】
請求項１に記載の捕集漏れ防止スカートは、レンジフード本体に対して着脱機能を有している。
【考案の詳細な説明】
【技術分野】
【０００１】本考案は、台所でガスレンジや電磁式調理器などの加熱機器を使用する際に、加熱機器とレンジフード間の気流の擾乱がレンジフードの捕集効率を下げ、有害ガスや匂いいの捕集漏れを発生させ、居室の環境を悪くしている不具合を解決するため、レンジフードの外縁部にスカートを設置して気流の擾乱を抑制し、捕集漏れを軽減させる。
【背景技術】
【０００２】捕集漏れを軽減させる目的を持った電磁式調理機器用のレンジフードはすでに数機種存在するが、加熱機器の加熱方式を指定していないレンジフードも含めて、本考案と同一の方法によって捕集漏れの軽減を計った製品は市場に見当たらない。
【考案の開示】
【考案が解決しようとする課題】
【０００３】従来は、調理用加熱機器としてガスや石油などの燃焼器具が使われる事が主であったために、燃焼する事で発生する上昇気流が気流の擾乱を抑え捕集漏れが発生することは少なかった。
しかし、近年普及してきている電磁式調理器は上昇気流の発生が少なく、従来のレンジフードの形状のうち煙溜まりを持たないデザイン優先のレンジフードでは特に捕集漏れを起こしやすい。本考案はこの課題を解決するためになされたものである。
また、旧来の台所は一般的にレンジ周りの２面は壁で遮られており、気流の擾乱の影響は受けにくかったが、近年の台所はレンジの３面あるいは４面全てが開放されている設計になっていることが多いため、油煙や匂いの捕集漏れが問題になっており、本考案はこの課題の解決に貢献する。
【課題を解決するための手段】
【０００４】レンジフード外縁部の火災予防条例で定められている離隔距離に抵触しない位置の、開放されている２方向あるいは３方向にスカート１を設け、気流の擾乱を抑制して排気の捕集漏れを軽減させるようにした。
【考案を実施するための最良の形態】
【０００５】調理用加熱機器の３面あるいは４面が開放されているオープンキッチンでは、従来の壁付けタイプのレンジフードは設置しにくい。
またオープンキッチンのようなデザイン優先のキッチンでは薄型レンジフードが好まれるが、多くの薄型レンジフードは一般に煙溜まりと言われる空間が充分確保できていない。
さらに法令でレンジフードの設置高さをレンジ台から８０ｃｍ以上離すよう規定されているので、特に電磁式調理器を使用する場合は、レンジフードの捕集漏れが発生しやすい。
本考案は、前述のような環境および状況のもとで使用すればより効果がある。
【考案の効果】
【０００６】加熱によって発生する上昇気流は、加熱機器から離れるに従って室温に近づき、弱くなる。
本考案は、レンジフードが排気しようとして発生させる吸引の風速の影響範囲を下方向に広げて上昇気流の不足を補い、レンジフードの捕集効率を高める。
【図面の簡単な説明】
【０００７】
【図１】本考案をレンジフードに取り付けた状態のアイソメ図である。
【図２】本考案の平面図である。
【図３】本考案の正面図である。
【図４】本考案の右側面図である。
【符号の説明】
【０００８】１  レンジフード本体
２  スカート
３  スカートの取付金具
４  取り付けネジ
５  取り付けネジ用ダルマ穴
【図１】
0003147889.tif 000003
【図２】
0003147889.tif 000004
【図３】
0003147889.tif 000005
【図４】
0003147889.tif 000006
【手続補正書】
【提出日】平成20年8月1日(2008.8.1)
【手続補正１】
【補正対象書類名】実用新案登録請求の範囲
【補正対象項目名】全文
【補正方法】変更
【補正の内容】
【実用新案登録請求の範囲】
【請求項１】
厨房用レンジフードの外縁部２面または３面に、レンジフード外縁と同じ長さで下方向に伸びるスカート部分を設けたことを特徴とする捕集漏れ防止スカート。
【請求項２】
レンジフード本体に対して着脱機能にした請求項目１に記載の捕集漏れ防止スカート。
【手続補正書】
【提出日】平成20年10月20日(2008.10.20)
【手続補正１】
【補正対象書類名】実用新案登録請求の範囲
【補正対象項目名】全文
【補正方法】変更
【補正の内容】
【実用新案登録請求の範囲】
【請求項１】
厨房用レンジフードの外縁部２面または３面に取り付け、レンジフード外縁と同じ長さの下方向に伸びる平面部分を有することを特徴とする捕集漏れ防止スカート。
【請求項２】
請求項目１に記載の捕集漏れ防止スカートはレンジフード本体に対して着脱できる仕組みを有する。
(57)【要約】【課題】屋外で作業する際に着用する樹脂製作業着において、太陽光線の直射日光による作業着の表面温度や内部温度の上昇を抑制し、暑さによる作業効率低下や熱中症などを防ぎ快適な作業空間を創出する。【解決手段】樹脂製作業着の表面最外層に赤外線反射機能を有する顔料を樹脂部に練り込むことにより、太陽光線の直射を受けても熱線である近赤外線を反射することが可能となり、従来より使用されていた作業着に比べ１０〜２０％程度表面温度及び内部温度の上昇を抑制することが可能となる。【選択図】図１
0003147822.tif 000002
【実用新案登録請求の範囲】
【請求項１】
樹脂製作業着の樹脂部に太陽光線などを反射させる機能材、特に赤外線反射機能材を少なくとも１種類以上含有する顔料を練り込んだ事を特徴とする遮熱効果を有する作業着。
【考案の詳細な説明】
【技術分野】
【０００１】
本考案は屋外などで使用する作業着の表面温度や内部温度の上昇を抑制する樹脂製作業着に関する。
【背景技術】
【０００２】
屋外で作業する際、樹脂製の作業着や合羽などを着て行う場合がある。（例えば漁業関係、農業関係、塗装作業関係など）これは、衣類の汚れ防止や体への付着を抑制する効果を狙ったものである。
【０００３】
しかし、衣類の汚れや体への付着防止には効果があるが、特に夏場の屋外作業では直射日光を浴びながらの作業が多く、暑さのために作業効率が低下したり、熱中症などの症状の出ることが報告されている。
【０００４】
このような状況を防ぐため、太陽光線などを反射する塗料などが知られている。
【０００５】
しかし、これらの塗料を作業着表面に塗布しても、塗料の耐摩耗性や表面劣化により長期間太陽光線などを反射する効果を維持できない欠点があった。
【特許文献１】特開２００７−２１７５４０号公報
【考案の開示】
【考案が解決しようとする課題】
【０００６】
解決しようとする課題は、長期間効率低下を起こすことなく、樹脂製作業着の太陽光線照射による作業着表面または内部の温度上昇を効率よく抑制することである。
【課題を解決するための手段】
【０００７】
本考案は、屋外で作業する際に着用する樹脂製作業着の樹脂部に、特に夏場の作業効率低下の抑制や、熱中症を防止するために赤外線反射機能を有する材料を含有する顔料を樹脂部に練り込むことによって、太陽光照射による作業着の表面温度や内部温度の上昇を抑制することを特徴としている。
【０００８】
太陽光線のうち主として熱作用を及ぼすのは波長７００〜２５００ナノメートルのいわゆる近赤外線と呼ばれる波長域の光線である。この熱作用を及ぼす光線の影響を阻止する方法として、顔料内に赤外線反射機能を有する材料を配合することにより遮熱性を得ることができる。
【０００９】
赤外線反射機能材としては、アルミン酸亜鉛、アルミニウム、ステンレス、ニッケル、酸化チタン、シラスバルーン、セラミックバルーン、ガラスマイクロバルーン等が一般的であるが、酸化金属などのように高効率で赤外線を反射し、顔料に混合可能なものであれば特に限定されるものではない。
【００１０】
また使用する樹脂としては、ポリ塩化ビニル樹脂、ポリエステル樹脂、ポリウレタン樹脂、ポリオレフィン樹脂、ＥＶＡ樹脂などがあるが、樹脂部材料は物理強度や用途により選択されるもので、これらに限定されるものではない。
【考案の効果】
【００１１】
本校案は、太陽光線に含まれる赤外線を反射することにより、樹脂のミクロブラウン運動を抑制し、発熱を抑える利点がある。
【考案を実施するための最良の形態】
【００１２】
太陽光線を受ける樹脂部に、遮熱効果を得るため赤外線反射機能を有する顔料を樹脂部に練り込み、樹脂部表面温度や内部温度の上昇を抑制する。
【実施例１】
【００１３】
図１は本考案の樹脂部の遮熱効果を測定する試験装置であり、試験は赤外線反射機能材を有する顔料を練り込んだ実施例１と、赤外線反射機能材を含まない顔料を使用した比較例１に各々赤外線ランプを１０センチの距離から６０分間照射したときの検体の表面温度（温度測定点１）と内部温度（温度測定点２）を測定比較した。
【００１４】
【表１】
0003147822.tif 000003
【００１５】
表１の結果より、遮熱効果を有する顔料を練り込んだ実施例１は比較例１に比べ、表面温度では約１０℃、内部温度では約１７℃低い値を示し、温度上昇を抑制する遮熱効果が確認された。
【産業上の利用可能性】
【００１６】
樹脂製作業着の樹脂部に赤外線反射機能材を練り込むことにより、長期間安定に作業着の表面温度や内部温度の上昇を抑制し、作業者が熱中症等の危険を回避し快適な作業環境を獲得できる。
【図面の簡単な説明】
【００１７】
【図１】本考案確認のための遮熱試験装置である。
【符号の説明】
【００１８】
１    断熱材ボックス
２    試験試料
３    赤外線ランプ
４    温度測定点１（表面温度の測定点）
５    温度測定点２（内部温度の測定点）
【図１】
0003147822.tif 000004
(57)【要約】      （修正有）【課題】地球温暖化の抑制と化石燃料・二酸化炭素ＣＯ２の削減のため、ビニール袋を紙袋に替えるにあたり、紙袋を破らず刃物を使わず、簡単できれいに開けられる紙袋を提供する。【解決手段】上部の袋１と下部の袋２を有する袋の、出し入れ口・取り出し口を覆いふさぐために、上部の袋と一体のフタ３で、出し入れ口・取り出し口を覆いふさぐことにより、紙袋を切らずに開けられるようにしたことを特徴とする。【選択図】図１
0003147895.tif 000002
【実用新案登録請求の範囲】
【請求項１】
袋と一体のフタつき、中味の見える紙袋。
【考案の詳細な説明】
【技術分野】
【００１】  この紙袋は、ビニール袋の代替となる紙袋である。
【背景技術】
【００２】  従来の袋といえばビニール袋が主である。買い物袋・ポケツトテイシユ袋に、切手や印紙等を入れて渡すビニール袋、通帳類の袋や保険証入れも、皆ビニール袋である。
【考案が解決しようとする課題】
【００３】  地球温暖化の抑制と化石燃料・二酸化炭素ＣＯ２の削減のため、ビニール袋のような中味の見える、紙袋の製作と包装方法。
【００４】  紙はビニールと違い、破ることと破れることは、容易であるが、ノリ付け密封された紙袋を、ビニール袋のスジの入いつたテイシユのように、きれいにハサミ等を使わず、紙袋をきれいに開くことは難ずかしい。
【００５】  ビニールは、延びるので破ることは容易でないが、ビニールにスジを入れておくときれいに開くことが出来る。
紙だとミシン針穴を明けておいても、きれいに開くとはかぎらない。
【課題を解決するための手段】
【００６】  ビニールの袋を削減するために、強度の関係上軽量物入りの、ビニール類の袋を紙袋にする。
【００７】  紙袋はビニール袋ポケットテイシュのように、スジを入れることは難しいので、図面４の符号出し入れ口の上の一片と、図面７の符号出し入れ口の下の一片を合わせるか、開けておくかして、図面３の符号ふたで合わせ目を覆い、出し入れ口・取り出し口をふさぐようにする。
【考案の効果】
【００８】  ビニール袋を紙袋にすることにより、二酸化炭素ＣＯ２と化石燃料の削減と地球温暖化の抑制に貢献する。
【考案を実施するための最良の形態】
【００９】  透明性と水に強い紙、トレーシングベーパーを紙袋とする。
図１のように出し入れ口・取り出し口を覆い隠すために、図１の上部１の符号の袋と一体の、符号３のフタで出し入れ口．取り出し口を覆いふさぐようにする。【０１０】  図面符号３のフタの両端の部分に、ノリ付けし下部の袋符号２に張り付け、出し入れ口・取り出し口を覆いふさぐ。又お菓子・センベイ等の食物品の場合は、３の符号のフタの部分の下部分にノリを付けて、下部の袋符号２に張り付けて覆おつてふさぐ図１。
【実施例】
【０１１】  図３の組み立図で説明する。５の符号の折り曲げ箇所を上に折り重ねる。次に６の符号の折り曲げ箇所を下に折り重ねると、４の符号は上の袋の出し入れ口の合わさる箇所の一片となり、下部の出し入れ口・取り出し口が合わさる箇所の一片７の符号と合わさり、符号８の出し入れ口・取り出し口が出来ると同時に、符号３のフタの部分で、符号８の出し入れ口・取り出し口は、図１のように符号３のフタで覆い隠れる。【０１２】  図３の符号４の両端から下部の符号７までの両すみをノリ付けし、５の符号の箇所と、６の符号の箇所を折り曲げノリ付けすると、図１のような紙袋が出来る。又符号３のフタの両端のすみをノリ付けし、符号２の下の袋に張り付り付けると、図１のように符号８の出し入れ口・取り出し口が、覆いふさがれ密閉された紙袋になる。【０１３】  図１の密閉された紙袋を開ける時は、符号３のフタを上に持ち上げ、符号２の下の袋を後方に押し、符号７の袋の出し入れ口の合わさつている箇所を前方に引くと、図２の符号８の出し入れ口・取り出し口が、図２ように開く紙袋である。
【産業上の利用可能性】
【０１４】  切手や印紙・ハガキ等は、ビニール袋に入れお客様に渡している。又銀行等の通帳類や、役所の発行する保険証等もビニール袋を使用しているのを、透明度はビニールより劣るが、トレーシングベーパーで本考案の紙袋に切り替へ使用出来る。【０１５】  ポケツトテイシユのビニール包装も、本考案の紙袋で代替出来る。又お菓子類の袋なども、本考案の紙袋で代替することにより、化石燃料の削減と二酸化炭素ＣＯ２の削減と、地球温暖化の抑制につながる。
【図面の簡単な説明】
【図１】  紙袋の平面図。
【図２】  紙袋の斜視図。
【図３】  紙袋の組立平面図。
【符号の説明】
１は上部の袋である。
２は下部の袋である。
３はフタの部分である。
４は上部の出し入れ口の合わさる口の一片である。
５は下部の袋の折り曲げ重ね箇所である。
６は上部の袋の折り曲げ箇所である。
７は下部の出し入れ口の合わさる口の一片である。
８は出し入れ口・取り出し口である。
【図１】
0003147895.tif 000003
【図２】
0003147895.tif 000004
【図３】
0003147895.tif 000005
【手続補正書】
【提出日】平成20年10月22日(2008.10.22)
【手続補正１】
【補正対象書類名】実用新案登録請求の範囲
【補正対象項目名】全文
【補正方法】変更
【補正の内容】
【実用新案登録請求の範囲】
【請求項１】
出し入れ口、取り出し口を覆い隠すための、上部袋と一体化したフタで、出し入れ口、取り出し口をふさげる中味の見える紙袋。